(57)【特許請求の範囲】
【請求項１】
雌螺子を有する筒状の雌螺子部材と、
回り止め部を有する筒状の回り止め部材と、
その後端側に設けられ前記雌螺子と螺合する前側雄螺子及び該前側雄螺子から軸線方向後方に離間する後側雄螺子を有すると共に、前記回り止め部と係合する係合部を有する棒状の移動体とを備え、
前記雌螺子部材及び前記回り止め部材の一方向の相対回転によって両部材内に収容された前記移動体が前進し、前記一方向とは反対方向の他方向の相対回転によって前記移動体が後退する移動体繰出容器であって、
前記移動体の前記前側雄螺子及び前記後側雄螺子の間に係る部分が、軸線方向に伸縮する弾性部とされ、
前記移動体が前進限に達し、さらに前記雌螺子部材及び前記回り止め部材が前記一方向に相対回転されると、前記後側雄螺子が前記雌螺子の先端との間で前記弾性部による弾性力を受けつつクラッチ回転し、
前記移動体が後退限に達し、さらに前記雌螺子部材及び前記回り止め部材が前記他方向に相対回転されると、前記前側雄螺子が前記雌螺子の後端との間で前記弾性部による弾性力を受けつつクラッチ回転することを特徴とする移動体繰出容器。
【請求項２】
前記移動体の前進限が、前記前側雄螺子の当接によって画定されると共に、前記移動体の後退限が、前記後側雄螺子の当接によって画定されることを特徴とする請求項１に記載の移動体繰出容器。
【請求項３】
前記移動体は、前記前側雄螺子より軸線方向前側に、過大な軸力が弱まるように軸線方向に伸縮する第二の弾性部を有することを特徴とする請求項１又は２に記載の移動体繰出容器。
【請求項４】
前記移動体が、移動体の軸線を前後位置で直交方向に横切る一対の直交部及び移動体の軸線を斜めに横切るように両直交部を連結する傾斜部からなるＺ字状部を有しており、当該前側直交部の端部が前記前側雄螺子の螺子山であり、当該後側直交部の端部が前記後側雄螺子の螺子山であり、当該傾斜部が前記弾性部であることを特徴とする請求項１〜３のいずれか１項に記載の移動体繰出容器。
【発明の詳細な説明】
【技術分野】
【０００１】
本発明は、移動体をその軸線方向に進退させるための移動体繰出容器に関する。
【背景技術】
【０００２】
従来の移動体繰出容器としては、例えば特許文献１に記載されたものが知られている。この移動体繰出容器では、芯保持軸（移動体）の後端に設けられた芯保持軸突起（雄螺子）がラセン筒（雌螺子部材）に設けられたラセン溝（雌螺子）に螺合されており、先筒（容器前部）と当該先筒に相対回転可能とされた回し筒（容器後部）とが一の方向に相対回転されると、ラセン筒のラセン溝と保持軸突起との螺合作用が働き芯保持軸が前進し、容器の先端から化粧料芯が押し出されると共に、先筒と回し筒とが一の方向の反対の方向である他方向に相対回転されると、ラセン溝と保持軸突起との螺合作用が働き芯保持軸が後退する。
【０００３】
また、この移動体繰出容器は、ラセン筒を前方へ付勢するように当該ラセン筒の後端側に配置された弾力性部材（弾性部）を有しており、芯保持軸が前進して保持軸突起がラセン溝の前端から外れると、この保持軸突起が先筒の後端とラセン筒の先端との間に入り込み、ラセン筒が後方へ押しやられて弾力性部材が圧縮し、そして、この圧縮に応じて生じた弾性力によりラセン筒が前方へ押し戻される。一方、芯保持軸が後退して保持軸突起がラセン溝の後端から外れると、この保持軸突起がラセン筒の後端と弾力性部材の前端との間に入り込み、弾力性部材が後方へ押しやられて弾力性部材が圧縮し、そして、この圧縮に応じた弾性力により保持軸突起が前方へ押し戻される。このように、螺合部の螺合が解除されると、ラセン筒又は芯保持軸が前進、後退し、さらなる先筒と回し筒との同方向の相対回転によりクラッチ機能が発揮される。
【特許文献１】実公平３−１７７８７号公報
【発明の開示】
【発明が解決しようとする課題】
【０００４】
このように移動体繰出容器では、前述のように、弾力性部材の圧縮の弾性力が利用され、芯保持軸が前進して螺合解除したときにはラセン筒を前方へ付勢し、後退して螺合解除したときには保持軸突起を前方へ付勢する、すなわち、前進、後退に応じてラセン筒又は保持軸突起を前方に付勢する。そのため、上述した移動体繰出容器では、芯保持軸と弾力性部材とをそれぞれ別部品とする必要があり、よって、部品点数が多くなってしまう。
【０００５】
そこで、本発明は、移動体が前進、後退して螺合部の螺合が解除された際にクラッチ機能を発揮する容器において、部品点数を低減することが可能となる移動体繰出容器を提供することを課題とする。
【課題を解決するための手段】
【０００６】
本発明による移動体繰出容器は、雌螺子を有する筒状の雌螺子部材と、回り止め部を有する筒状の回り止め部材と、その後端側に設けられ雌螺子と螺合する前側雄螺子及び該前側雄螺子から軸線方向後方に離間する後側雄螺子を有すると共に、回り止め部と係合する係合部を有する棒状の移動体とを備え、雌螺子部材及び回り止め部材の一方向の相対回転によって両部材内に収容された移動体が前進し、一方向とは反対方向の他方向の相対回転によって移動体が後退する移動体繰出容器であって、移動体の前側雄螺子及び後側雄螺子の間に係る部分が、軸線方向に伸縮する弾性部とされ、移動体が前進限に達し、さらに雌螺子部材及び回り止め部材が一方向に相対回転されると、後側雄螺子が雌螺子の先端との間で弾性部による弾性力を受けつつクラッチ回転し、移動体が後退限に達し、さらに雌螺子部材及び回り止め部材が他方向に相対回転されると、前側雄螺子が雌螺子の後端との間で弾性部による弾性力を受けつつクラッチ回転することを特徴としている。
【０００７】
このような移動体繰出容器によれば、移動体の前側雄螺子と後側雄螺子との間に設けられた弾性部が、前進限及び後退限で共通に利用され、移動体が前進限に達したときに後側雄螺子を後方に付勢して、後側雄螺子のクラッチ回転を可能とし、移動体が後退限に達したときに前側雄螺子を前方に付勢して、前側雄螺子のクラッチ回転を可能とする。このように、移動体と弾性部とを一体の部品にでき、部品点数を低減することが可能となる。
【０００８】
また、上記作用を好適に奏する移動体繰出容器の構成としては、移動体の前進限が、前側雄螺子の当接によって画定されると共に、移動体の後退限が、後側雄螺子の当接によって画定されることが好ましい。
【０００９】
ここで、移動体は、前側雄螺子より軸線方向前側に、過大な軸力が弱まるように軸線方向に伸縮する第二の弾性部を有することが好ましい。これにより、移動体先端側が押圧された際に、過大な軸力が弱まるように第二の弾性部が軸線方向に収縮して、移動体に加えられた押圧力を逃がし緩和することが可能となると共に、例えば落下させたときの衝撃力を吸収し緩和することが可能となる。
【００１０】
また、上記作用を好適に奏する移動体繰出容器の構成としては、具体的には、移動体が、移動体の軸線を前後位置で直交方向に横切る一対の直交部及び移動体の軸線を斜めに横切るように両直交部を連結する傾斜部からなるＺ字状部を有しており、当該前側直交部の端部が前側雄螺子の螺子山であり、当該後側直交部の端部が後側雄螺子の螺子山であり、当該傾斜部が弾性部であることが好ましい。
【発明の効果】
【００１１】
本発明によれば、移動体が前進、後退して螺合部の螺合が解除された際にクラッチ機能を発揮する容器において、部品点数を低減することが可能となる。
【発明を実施するための最良の形態】
【００１２】
以下、本発明による移動体繰出容器の好適な実施形態について図１〜図６を参照しながら説明する。なお、各図において、同一の要素には同一の記号を付し、重複する説明は省略する。また、以下の実施形態は、移動体が塗布材を支持する塗布材繰出容器に対して移動体繰出容器を適用したものである。
【００１３】
図１〜図５は、本発明の第一実施形態を、図６は、本発明の第二実施形態を各々示すものである。図１は、本発明の第一実施形態に係る塗布材繰出容器の初期状態を示す縦断面図、図２は、図１に示す状態から使用者の操作により塗布材支持体が前進限に達したときの塗布材繰出容器の縦断面図、図３は、塗布材支持体が後退限に達したときの塗布材繰出容器の縦断面図、図４は、図１〜図３中の塗布材支持体を示す斜視図、図５は、図４に示す塗布材支持体の正面図であり、本実施形態の塗布材繰出容器は、塗布材支持体により塗布材を支持し、この塗布材を適宜使用者の操作により押し出し、引き戻し可能とするものである。
【００１４】
本実施形態では、塗布材Ｍとして棒状物が用いられている。この棒状物としては、例えば、リップスティック、リップグロス、アイライナー、アイカラー、アイブロー、リップライナー、チークカラー、コンシーラー、美容スティック、ヘアーカラー等を始めとした種々の棒状化粧料、筆記用具等の棒状の芯等を用いることが可能であり、また、半固体状、軟固形状、軟質状、ゼリー状等の棒状物を用いることも可能である。
【００１５】
図１に示すように、塗布材繰出容器１００は、全体形状が筆記具の如き細長い丸棒状（スティック状）を成し良好な外観を呈するもので、容器前部を構成する先筒（回り止め部材）１と、容器後部を構成する本体筒２と、を外形構成として具備し、これらの先筒１及び本体筒２内に、上記塗布材Ｍと、これが突き当てられる基部３ｃ及び塗布材Ｍを周囲から支持する複数の支持片（係合部）３ｄを有する支持部３ａを備えると共に螺合部の一方を構成し移動する塗布材支持体（移動体）３と、螺合部の他方を構成する雌螺子部材４とを収容し、さらに本体筒２の後端部に塗布具５を備えている。
【００１６】
本体筒２は、有底円筒状を成し、その底面２ａに突き当たるように雌螺子部材４が内挿されている。この雌螺子部材４は、内周面に雌螺子４ａが軸線方向に沿って設けられ、本体筒２に軸線周りに同期回転可能に連結されると共に、本体筒２に先筒１が回転可能且つ離脱不能に装着されることにより挟まれ、本体筒２に対し軸線方向移動不能とされている。
【００１７】
そして、この本体筒２の底面２ａが、塗布材支持体３が後退時に突き当たる塗布材支持体３の後退限とされている（詳しくは後述）。
【００１８】
先筒１は、塗布材Ｍを支持した支持部３ａが進退するための進退孔１ａを備えている。この進退孔１ａは、塗布材Ｍが摺動する塗布材孔１ｂを全長に亘って有すると共に、この塗布材孔１ｂの内周面に、塗布材支持体３の支持片３ｄが摺動する支持片溝（回り止め部）１ｃを、塗布材孔１ｂの先端近傍から後方に向かって連設して成り、この支持片溝１ｃに支持片３ｄが進入することで回り止めが構成される。
【００１９】
そして、先筒１の本体筒２内に内挿された部分の後端面１ｄが、塗布材支持体３が前進時に突き当たる塗布材支持体３の前進限とされている。
【００２０】
塗布材支持体３は、一体成形により形成され、図１及び図４に示すように、軸線方向に延在する棒状の軸体であり、支持部３ａの後端から軸線方向に沿って後側に伸び、その後端部に、雌螺子部材４の雌螺子４ａと螺合すると共にクラッチ機構を構成する螺子部３ｂを備えている。
【００２１】
この螺子部３ｂは、図１、図４及び図５に示すように、軸線を直交方向に横切る第一の直交部３ｅと、この第一の直交部３ｅから軸線方向後方に離間する第二の直交部３ｆと、軸線を斜めに横切るように第一の直交部３ｅ及び第二の直交部３ｆを連結する傾斜部３ｇからなるＺ字状の形状とされ、この第一の直交部３ｅの両端部に一対の第一の螺合突起３ｈ，３ｈを前側雄螺子の螺子山として備え、第二の直交部３ｆの両端部に一対の第二の螺合突起３ｉ，３ｉを後側雄螺子の螺子山として備え、これらを連結する傾斜部３ｇを軸線方向に伸縮する弾性部としている。そして、第一の直交部３ｅが先筒１の後端面１ｄに当接して塗布材支持体３の前進限を画定し、第二の直交部３ｆが本体筒２の底面２ａに当接して塗布材支持体３の後退限を画定する構成とされている。
【００２２】
このように構成された図１に示す塗布材繰出容器１００では、使用者により先筒１と本体筒２とが一方向である繰出し方向に相対回転されると、塗布材支持体３の第一の螺合突起３ｈ及び第二の螺合突起３ｉと、雌螺子部材４の雌螺子４ａとで構成される螺合部、及び塗布材支持体３の支持片３ｄと先筒１の支持片溝１ｃとで構成された回り止め部が働き、塗布材支持体３が前進し、塗布材Ｍが先筒１の先端から出現し塗布が可能とされる。
【００２３】
ここで、図２に示すように、塗布材支持体３の螺子部３ｂの第一の直交部３ｅが雌螺子部材４の雌螺子４ａの先端から外れ先筒１の後端面１ｄに突き当たって塗布材支持体３が前進限に達した状態で、この前進限でさらに塗布材支持体３を前進させようとする相対回転力が付与されると、塗布材支持体３の第一の直交部３ｅが先筒１の後端面１ｄに当接し塗布材支持体３の前進が阻止されているため、塗布材支持体３の第一の直交部３ｅより前側の部分は軸線方向前側に移動すること無く、塗布材支持体３の傾斜部３ｇが収縮しながら第二の直交部３ｆが傾斜部３ｇの付勢力に抗して前進し、第二の直交部３ｆの両端部の第二の螺合突起３ｉ，３ｉと雌螺子部材４の雌螺子４ａの先端との螺合が解除される状態と、第二の直交部３ｆが傾斜部３ｇによる付勢力によって押し戻されて両端部の第二の螺合突起３ｉ，３ｉが雌螺子部材４の雌螺子４ａの螺子山の側面に当接する状態とを繰り返す、所謂クラッチ回転が実現される。
【００２４】
また、使用者により先筒１と本体筒２とが一方向の反対方向である繰り戻し方向に相対回転されると、塗布材支持体３が後退し、塗布材Ｍが先筒１の先端から没入する。
【００２５】
ここで、図３に示すように、塗布材支持体３の螺子部３ｂの第二の直交部３ｆが雌螺子部材４の雌螺子４ａの後端から外れ本体筒２の底面２ａに突き当たって塗布材支持体３が後退限に達した状態で、この後退限でさらに塗布材支持体３を後退させようとする相対回転力が付与されると、塗布材支持体３の第二の直交部３ｆが本体筒２の底面２ａに当接し塗布材支持体３の後退が阻止されているため、塗布材支持体３の第二の直交部３ｆは軸線方向後側に移動すること無く、塗布材支持体３の傾斜部３ｇが収縮しながら第一の直交部３ｅが傾斜部３ｇの付勢力に抗して後退し、第一の直交部３ｅの両端部の第一の螺合突起３ｈ，３ｈと雌螺子部材４の雌螺子４ａの後端との螺合が解除される状態と、第一の直交部３ｅが傾斜部３ｇによる付勢力によって押し戻されて両端部の第一の螺合突起３ｈ，３ｈが雌螺子部材４の雌螺子４ａの螺子山の側面に当接する状態とを繰り返す、所謂クラッチ回転が実現される。
【００２６】
このように、本実施形態に係る移動体繰出容器１００によれば、塗布材支持体３の第一の直交部３ｅと第二の直交部３ｆとの間に設けられた傾斜部（弾性部）３ｇが、前進限及び後退限で共通に利用され、塗布材支持体３が前進限に達したときに第二の直交部３ｆを後方に付勢して、第二の直交部３ｆの第二の螺合突起３ｉによるクラッチ回転を可能とし、塗布材支持体３が後退限に達したときに第一の直交部３ｅを前方に付勢して、第一の直交部３ｅの第一の螺合突起３ｈによるクラッチ回転を可能としているため、塗布材支持体３と弾性部（傾斜部）３ｇとを一体の部品にでき、部品点数を低減することが可能となる。
【００２７】
図６は、本発明の第二実施形態に係る塗布材繰出容器を示す縦断面図であり、図１に対応する図である。この第二実施形態の塗布材繰出容器２００が第一実施形態の塗布材繰出容器１００と違う点は、塗布材支持体３に代えて、その後端部に設けられている螺子部３ｂの第一の直交部３ｅより軸線方向前側に、過大な軸力が弱まるように軸線方向に伸縮する第二の弾性部１３ｊを有する塗布材支持体１３を用いた点である。この第二の弾性部１３ｊは、螺子部３ｂと同様にＺ字状に構成されているが、螺子部３ｂより小さく構成され螺子部を有していない。
【００２８】
このような塗布材繰出容器２００によれば、塗布材支持体１３の先端側にある塗布材Ｍが塗布時に塗布面により押圧された際に、過大な軸力が弱まるように第二の弾性部１３ｊが軸線方向に収縮して、塗布材支持体１３に加えられた押圧力を逃がし緩和することが可能となると共に、例えば落下させたときの衝撃力を吸収し緩和することが可能となる。
【００２９】
以上、本発明をその実施形態に基づき具体的に説明したが、本発明は上記実施形態に限定されるものではない。例えば、上記実施形態では、塗布材支持部３は、第一の直交部３ｅの両端部である２つの第一の螺合突起３ｈ，３ｈと、第二の直交部３ｆの両端部である２つの第二の螺合突起３ｉ，３ｉと、によって雌螺子部材４の雌螺子４ａと螺合していたが、第一の直交部３ｅ及び第二の直交部３ｆのそれぞれにおいて、少なくとも一方の端部が第一の螺合突起３ｈ、第二の螺合突起３ｉとして雌螺子部材４の雌螺子４ａと螺合していればよい。
【００３０】
また、上記実施形態の繰出容器は、カードリッジタイプの繰出容器に対しても適用できる。
【００３１】
また、上記実施形態にあっては特に好適であるとして塗布材を棒状物とした繰出容器に対する適用を述べているが、塗布材を液状化粧料や筆耕具等のインク、泥状物等とした繰出容器に対しても適用可能である。
【００３２】
また、雄螺子、雌螺子は、間欠的に配される突起群又は螺旋状且つ間欠的に配される突起群のように螺子山と同様な働きをするものであっても良く、また、雄螺子の一つである螺合突起は、連続する螺子山であっても、螺旋の一部であっても良い。
【図面の簡単な説明】
【００３３】
【図１】本発明の第一実施形態に係る塗布材繰出容器の初期状態を示す縦断面図である。
【図２】塗布材支持体が前進限に達したときの塗布材繰出容器の縦断面図である。
【図３】塗布材支持体が後退限に達したときの塗布材繰出容器の縦断面図である。
【図４】塗布材支持体を示す斜視図である。
【図５】塗布材支持体の正面図である。
【図６】本発明の第二実施形態に係る塗布材繰出容器を示す縦断面図である。
【符号の説明】
【００３４】
１…先筒（回り止め部材）、１ｃ…支持片溝（回り止め部）、１ｄ…後端面、３，１３…塗布材支持体（移動体）、３ｄ…支持片（係合部）、３ｅ…第一の直交部、３ｆ…第二の直交部、３ｇ…傾斜部（弾性部）、３ｈ…第一の螺合突起（前側雄螺子）、３ｉ…第二の螺合突起（後側雄螺子）、４…雌螺子部材、４ａ…雌螺子、１３ｊ…第二の弾性部、１００，２００…塗布材繰出容器、Ｍ…塗布材。
【図１】
0005133749.tif 000002
【図２】
0005133749.tif 000003
【図３】
0005133749.tif 000004
【図４】
0005133749.tif 000005
【図５】
0005133749.tif 000006
【図６】
0005133749.tif 000007